(57)【要約】      （修正有）【課題】１個の光源で互いに直交する十字状のライン状光束を形成し、十字状に交わる交点を用いて工事作業対象に対する位置合わせの容易化、利便性の向上を図ったライン状レーザ光束照射装置を提供する。【解決手段】装置は、レーザ光Ｐ１を発生するレーザ光源７と、レーザ光Ｐ１を平行レーザ光Ｐ２に変換する変換レンズ８と、第1のライン状レーザ光束を形成する第1のレンズ９と、第1のライン状レーザ光束と直交する第２のライン状レーザ光束を形成する第２のレンズ１０と、平行レーザ光Ｐ２を第1のレンズ９に向けて反射する第1の反射面１１ａと平行レーザ光Ｐ２を第２のレンズ１０に向けて反射する第２の反射面１１ｂとからなる反射光学系１１とを有し、平行レーザ光Ｐ２を第1の反射面１１ａと第２の反射面１１ｂに導いて第1のライン状レーザ光束Ｌｖと第２のライン状レーザ光束Ｌｈとの協働により十字状のライン状レーザ光束を同一平面Ｓに形成する。【選択図】図２
2010078383.tif 000002
【特許請求の範囲】
【請求項１】
発散レーザ光束を発生するレーザ光源と、前記発散レーザ光束を平行レーザ光束に変換する変換レンズと、第1のライン状レーザ光束を形成する第1のレンズと、前記第1のライン状レーザ光束と交差する第２のライン状レーザ光束を形成する第２のレンズと、前記平行レーザ光束を前記第1のレンズに向けて反射する第1の反射面と前記平行レーザ光束を前記第２のレンズに向けて反射する第２の反射面とからなる反射光学系と、該反射光学系と前記変換レンズとの間に設けられかつ前記平行レーザ光束を前記第1の反射面と前記第２の反射面とに導いて前記第1のライン状レーザ光束と前記第２のライン状レーザ光束との協働により十字状のライン状レーザ光束を形成する光束状態と前記第1の反射面に導いて前記第1のライン状光束のみを形成する光束状態と前記第２の反射面に導いて前記第２のライン状光束のみを形成する光束状態との間で前記平行レーザ光束の進路を切り換える光束切替手段とを有し、前記第1の反射面は前記第2の反射面を透過した平行レーザ光束を反射することを特徴とするライン状レーザ光束照射装置。
【請求項２】
前記発散レーザ光束は直線偏光の光束であり、前記光束切替手段には前記変換レンズにより平行レーザ光束に変換された前記直線偏光の光束を円偏光に変換する１／４λ位相差板と前記直線偏光の光束を当該直線偏光の偏光方向と直交する偏光方向に直線偏光する１／２λ位相差板と前記直線偏光の光束を当該直線偏光の偏光方向を保持したまま透過させる透過窓とが設けられ、前記第２の反射面は前記直線偏光の偏光方向を保持したまま透過した光束を前記第２のレンズに向けて全反射する偏光特性を有し、前記第1の反射面は前記１／２λ板により前記光束の偏光方向と直交する偏光方向に直線偏光された光束を前記第1のレンズに向けて全反射する偏光特性を有することを特徴とする請求項１に記載のライン状レーザ光束照射装置。
【請求項３】
前記反射光学系が、菱形プリズムにより構成されていることを特徴とする請求項１又は請求項２に記載のライン状レーザ光束照射装置。
【請求項４】
前記光源と前記変換レンズと前記第1のレンズと前記第２のレンズと前記反射光学系と前記光束切替手段とが筐体内に配置され、該筐体が前記十字状のライン状レーザ光束の交点を中心にして回転可能とされていることを特徴とする請求項１ないし請求項３のいずれか１項に記載のライン状レーザ光束照射装置。
【請求項５】
前記筐体が垂直面内で回転可能であることを特徴とする請求項４に記載のライン状レーザ光束照射装置。
【請求項６】
前記筐体に整準用センサが設けられ、該整準用センサに基づき水平面に平行なライン状レーザ光束を形成することを特徴とする請求項５に記載のライン状レーザ光束照射装置。
【請求項７】
発散レーザ光束を発生するレーザ光源と、前記発散レーザ光束を平行レーザ光束に変換する変換レンズと、第1のライン状レーザ光束を形成する第1のレンズと、前記第1のライン状レーザ光束と交差する第２のライン状レーザ光束を形成する第２のレンズと、前記平行レーザ光束を前記第1のレンズに向けて反射する第1の反射面と前記平行レーザ光束を前記第２のレンズに向けて反射する第２の反射面とからなる反射光学系とを有し、前記平行レーザ光束を前記第1の反射面と前記第２の反射面とに同時に導いて前記第1のライン状レーザ光束と前記第２のライン状レーザ光束との協働により十字状のライン状レーザ光束を形成することを特徴とするライン状レーザー光束照射装置。
【発明の詳細な説明】
【技術分野】
【０００１】
本発明は、水平方向及び垂直方向にライン状のレーザ光束を照射することが可能なライン状レーザ光束照射装置の改良に関する。
【背景技術】
【０００２】
従来から、第１シリンドリカルレンズと第２シリンドリカルレンズとを互いに直交する方向に配置し、光源から出射したレーザ光束をペンタプリズムの第１回転停止位置で第１シリンドリカルレンズに導いて垂直方向に扇状に広がるライン状レーザ光束を形成すると共に、ペンタプリズムの第２回転停止位置で第２シリンドリカルレンズに導いて水平方向に扇状に広がるライン状レーザ光束照射装置が知られている（例えば、特許文献１参照。）。
【０００３】
また、従来から、円柱レンズとシリンドリカルレンズとを組み合わせて、扇状に広がるライン状レーザ光束の一部にスポット光束（点光束）を形成し、工事作業対象に対する位置合わせの容易化を図ったライン状レーザ光束照射装置も知られている（例えば、特許文献２参照。）。
【特許文献１】特開２００６−２６６８９１号公報
【特許文献２】特開２００３−１９４５４０号公報
【発明の開示】
【発明が解決しようとする課題】
【０００４】
ところで、工事作業には、工事作業対象に同時に互いに交差するライン状光束を照射して位置合わせを行いたい場合がある。しかしながら、従来のライン状レーザ光束照射装置では、いずれか一方のライン状光束のみしか形成することができず、使い勝手の点で不便であるという問題点がある。
【０００５】
そこで、同時に互いに交差するライン状光束を照射できる構成とするために、２つの発光光源を用いて互いに独立にライン状光束を照射する構成とすることが考えられるが、このような構成とすると、各発光光源毎に光学系を別々に構成しなければならず、効率が悪く、かつ、高価になるという問題がある。
【０００６】
本発明は、上記の事情に鑑みて為されたもので、１個のレーザ光源で互いに交差する十字状のライン状光束を形成可能にすると共に、十字状に交わる交点を位置合わせに用いることを可能にして工事作業対象に対する位置合わせの容易化、利便性の向上を図ったライン状レーザ光束照射装置を提供することにある。
【課題を解決するための手段】
【０００７】
請求項１に記載のライン状レーザ光束照射装置は、発散レーザ光束を発生するレーザ光源と、前記発散レーザ光束を平行レーザ光束に変換する変換レンズと、第1のライン状レーザ光束を形成する第1のレンズと、前記第1のライン状レーザ光束と交差する第２のライン状レーザ光束を形成する第２のレンズと、前記平行レーザ光束を前記第1のレンズに向けて反射する第1の反射面と前記平行レーザ光束を前記第２のレンズに向けて反射する第２の反射面とからなる反射光学系と、該反射光学系と前記変換レンズとの間に設けられかつ前記平行レーザ光束を前記第1の反射面と前記第２の反射面とに導いて前記第1のライン状レーザ光束と前記第２のライン状レーザ光束との協働により十字状のライン状レーザ光束を形成する光束状態と前記第1の反射面に導いて前記第1のライン状光束のみを形成する光束状態と前記第２の反射面に導いて前記第２のライン状光束のみを形成する光束状態との間で前記平行レーザ光束を切り換える光束切替手段と有し、前記第1の反射面は前記第2の反射面を透過した平行レーザ光束を反射することを特徴とする。
【０００８】
請求項２に記載のライン状レーザ光束照射装置は、前記発散レーザ光束は直線偏光の光束であり、前記光束切替手段には前記変換レンズにより平行レーザ光束に変換された前記直線偏光の光束を円偏光に変換する１／４λ位相差板と前記直線偏光の光束を当該直線偏光の偏光方向と直交する偏光方向に直線偏光する１／２λ位相差板と前記直線偏光の光束を当該直線偏光の偏光方向を保持したまま透過させる透過窓とが設けられ、前記第２の反射面は前記直線偏光の偏光方向を保持したまま透過した光束を前記第２のレンズに向けて全反射する偏光特性を有し、前記第1の反射面は前記１／２λ板により前記光束の偏光方向と直交する偏光方向に直線偏光された光束を前記第1のレンズに向けて全反射する偏光特性を有することを特徴とする。
【０００９】
請求項３に記載のライン状レーザ光束照射装置は、前記反射光学系が、菱形プリズムにより構成されていることを特徴とする。
【００１０】
請求項４に記載のライン状レーザ光束照射装置は、前記光源と前記変換レンズと前記第1のレンズと前記第２のレンズと前記反射光学系と前記光束切替手段とが筐体内に配置され、該筐体が前記十字状のライン状レーザ光束の交点を中心にして回転可能とされていることを特徴とする。
【００１１】
請求項５に記載のライン状レーザ光束照射装置は、前記筐体が垂直面内で回転可能であることを特徴とする。
【００１２】
請求項６に記載のライン状レーザ光束照射装置は、前記筐体に整準用センサが設けられ、該整準用センサに基づき水平面に平行なライン状レーザ光束を形成することを特徴とする。
【００１３】
請求項７に記載のライン状レーザー光束照射装置は、発散レーザ光束を発生するレーザ光源と、前記発散レーザ光束を平行レーザ光束に変換する変換レンズと、第1のライン状レーザ光束を形成する第1のレンズと、前記第1のライン状レーザ光束と交差する第２のライン状レーザ光束を形成する第２のレンズと、前記平行レーザ光束を前記第1のレンズに向けて反射する第1の反射面と前記平行レーザ光束を前記第２のレンズに向けて反射する第２の反射面とからなる反射光学系とを有し、
前記平行レーザ光束を前記第1の反射面と前記第２の反射面とに同時に導いて前記第1のライン状レーザ光束と前記第２のライン状レーザ光束との協働により十字状のライン状レーザ光束を形成することを特徴とする。
【発明の効果】
【００１４】
請求項１、請求項２に記載の発明によれば、１個の光源で、第1のライン状レーザ光束のみからなる光束状態と、第1のライン状レーザ光束に交差する第２のライン状レーザ光束のみからなる光束状態と、第1のライン状レーザ光束とこの第1のライン状レーザ光束と交差する第２のライン状レーザ光束との協働による十字状のライン状レーザ光束からなる光束状態との３つの光束状態を呈示することができるので、位置合わせの容易化、利便性の向上を図ることができる。
【００１５】
請求項３に記載の発明によれば、反射光学系に菱形プリズムを用いたので、環境温度の変化に対して反射面の配置角度誤差の発生を回避でき、また、入射角と出射角との関係が姿勢によらず一定に保持されるので、第1のライン状レーザ光束と第２のライン状レーザ光束との交差角度を維持することができる。
【００１６】
請求項４、請求項５に記載の発明によれば、十字状のライン状レーザ光束の交点に基づき位置合わせを行って、この交点を中心にして十字状のライン状レーザ光束を回転させることができるので、迅速に工事作業対象に対する位置合わせ作業が可能となる。
【００１７】
請求項６に記載の発明によれば、第1のライン状センサの水平線の形成の容易化を図ることができるという効果を奏する。
【００１８】
請求項７に記載の発明によれば、１個の光源で互いに交差する十字状のライン状光束を形成可能にすると共に、十字状に交わる交点を位置合わせに用いることを可能にして工事作業対象に対する位置合わせの容易化、利便性の向上を図ることができるという効果を奏する。
【発明を実施するための最良の形態】
【００１９】
以下に、本発明に係わるライン状レーザ光束照射装置の発明の実施の形態を図面を参照しつつ説明する。
【実施例】
【００２０】
図１、図２は本発明に係わるライン状レーザ光束照射装置を説明するための説明図であって、この図１、図２において、１は基準固定板、２、２は一対の取り付け板部である。一対の取り付け板部２、２は基準固定板１に対して垂直に設けられている。
【００２１】
その一対の取り付け板部２、２は互いに対向して配置され、この一対の取り付け板部２、２には支持軸３が回動可能に掛け渡されている。この支持軸３には支持ブロック４が固定されている。この支持軸３には、図１に示すように従動プーリ３Ａが取り付けられ、後述する駆動モータの出力軸にはこの従動プーリ３Ａに対向する駆動プーリ３Ｂが設けられている。
【００２２】
この駆動プーリ３Ｂと従動プーリ３Ａとの間には駆動ベルト３Ｃが掛け渡されている。その駆動プーリ３Ｂは駆動モータ（パルスモータ）３Ｄによって回転駆動される。その駆動モータ３Ｄは基準固定板１に取り付け固定されている。
【００２３】
支持ブロック４には支持軸５が回転可能に設けられている。この支持軸５には従動プーリ５Ａが取り付けられ、後述する駆動モータの出力軸にはこのプーリ５Ａに対向する駆動プーリ５Ｂが設けられている。従動プーリ５Ａと駆動プーリ５Ｂとの間には駆動ベルト５Ｃが掛け渡されている。その駆動プーリ５Ｂは駆動モータ（パルスモータ）５Ｄにより回転駆動される。その駆動モータ５Ｄは基準固定板１に取り付け固定されている。
【００２４】
その支持軸５の先端部には、立方体形状の筐体６が取り付けられている。その筐体６の内部には、図２ないし図４に示すように、レーザ光源７と変換レンズ８と第1のレンズ９と第２のレンズ１０と反射光学系１１と光束切替手段１２とが配置されている。
【００２５】
光源７はここではレーザダイオードから構成され、直線偏光の発散レーザ光束Ｐ１を発生する。変換レンズ８はコリメートレンズから構成され、直線偏光の発散レーザ光束Ｐ１を直線偏光の平行レーザ光束Ｐ２に変換する。
【００２６】
第1のレンズ９は、ここでは、第1のライン状レーザ光束Ｌｖを形成するためにこの第1のライン状レーザ光束Ｌｖの延びる方向と直交する方向に延びるロッドレンズから構成されている。第２のレンズ１０は、ここでは、第1のライン状レーザ光束Ｌｖと交差（直交）する第２のライン状レーザ光束Ｌｈを形成するために第２のライン状レーザ光束Ｌｈの延びる方向と直交する方向に延びるロッドレンズから構成されている。
【００２７】
反射光学系１１は、ここでは、平行レーザ光束Ｐ２を第1のレンズ９に向けて反射する第1の反射面１１ａを有する反射部材と、平行レーザ光束Ｐ２を第２のレンズ１０に向けて反射する第２の反射面１１ｂを有する反射部材とから構成されている。
【００２８】
光束切替手段１２は反射光学系１１と変換レンズ８との間に設けられている。この光束切替手段１２は扇状板から構成されている。この扇状板は円弧中心Ｏ１を中心にして矢印Ｒ方向に往復回転可能とされている。
【００２９】
この扇状板には３つの開口が円弧方向に間隔を開けて形成されている。この３つの開口のうち中央の開口は、直線偏光の平行レーザー光束Ｐ２を直線偏光を保持したまま透過させる透過窓１３とされている。
【００３０】
その扇状板には、その透過窓１３を挟んで一方の開口に、直線偏光の平行レーザ光束Ｐ２を円偏光に変換する１／４λ位相差板１４が設けられている。扇状板には、その透過窓１３を挟んで他方の開口に、直線偏光の平行レーザ光束Ｐ２をこの直線偏光の偏光方向と直交する偏光方向に直線偏光する１／２λ位相差板１５が設けられている。
【００３１】
ここでは、第２の反射面１１ｂには、Ｓ偏光を全反射しかつＰ偏光を全透過する偏光特性を有する反射部材が用いられている。また、第1の反射面１１ａには、Ｐ偏光を全反射する偏光特性を有する反射部材が用いられている。
【００３２】
レーザダイオード７から出射された発散レーザ光束Ｐ１の直線偏光の偏光方向をＳ偏光方向に一致させ、透過窓１３を通して第２の反射面１１ｂに導くと、第２の反射面１１ｂはＳ偏光を全反射する偏光特性を有するので、変換レンズ８により偏光方向を保持しつつ平行レーザ光束Ｐ２に変換された直線偏光の光束は、図３に示すように、第２の反射面１１ｂにより全反射されて第２のレンズ１０に導かれ、第２のレンズ１０により扇状のライン状レーザ光束Ｌｈが形成される。
【００３３】
扇状板を円弧中心Ｏ１を中心に回転させて、図４に示すように、１／２λ位相差板１５を反射光学系１１と変換レンズ８との間に位置させると、１／２λ位相差板１５によりＳ偏光の平行レーザ光束Ｐ２はＰ偏光に変換され、このＰ偏光に変換された直線偏光の平行レーザ光束Ｐ２が第２の反射面１１ｂに導かれる。
【００３４】
このＰ偏光の平行レーザ光束Ｐ２は第２の反射面１１ｂがＰ偏光を全透過する偏光特性を有するので、これを透過して第1の反射面１１ａに導かれる。この第1の反射面１１ａに導かれたＰ偏光の平行レーザ光束Ｐ２は第1の反射面１１ａがＰ偏光を全反射する偏光特性を有するので、その第1の反射面１１ａにより全反射されて第1のレンズ９に導かれ、この第1のレンズ９により扇状のライン状レーザ光束Ｌｖが形成される。
【００３５】
扇状板を円弧中心Ｏ１を中心に回転させて、図２に示すように、１／４λ位相差板１４を反射光学系１１と変換レンズ８との間に位置させると、１／４λ位相差板１４によりＳ偏光の平行レーザ光束Ｐ２は円偏光に変換され、この円偏光に変換された平行レーザ光束Ｐ２が第２の反射面１１ｂに導かれる。
【００３６】
この円偏光の平行レーザ光束Ｐ２はその約半分が第２の反射面１１ｂにより反射されて第２のレンズ１０に導かれ、残りの約半分が第1の反射面１１ａに導かれ、この第1の反射面１１ａにより全反射されて第1のレンズ９に導かれる。
【００３７】
この第1のレンズ９によりライン状レーザ光束Ｌｖが形成され、第２のレンズ１０によりライン状レーザ光束Ｌｈが形成されるので、図２に示すように、十字状のライン状レーザ光束が形成される。
【００３８】
従って、光束切替手段１２は、平行レーザ光束Ｐ２を第1の反射面１１ａと第２の反射面１１ｂとに導いて第1のライン状レーザ光束Ｌｖと第２のライン状レーザ光束Ｌｈとを同時に形成してその協働により図２に示す十字状のライン状レーザ光束をＸＺ平面（同一平面Ｓ）内に形成する光束状態と、平行レーザ光束Ｐ２を第1の反射面１１ａに導いて第1のライン状光束Ｌｖのみを形成する図４に示す光束状態と、第２の反射面１１ｂに導いて第２のライン状光束Ｌｈのみを形成する図３に示す光束状態との間で平行レーザ光束Ｐ２の進路を切り換える役割を果たす。
【００３９】
ここでは、支持軸５の軸心の延びる方向の延長線５Ｅが第２の反射面１１ｂの反射光軸１１ｅと合致するようにして筐体６を支持軸５に固定する構成とされ、支持軸５の延長線５Ｅが十字状のライン状レーザ光束の交点Ｑと一致されている。
【００４０】
筐体６は十字状のライン状レーザ光束の交点Ｑを中心にして図２に示すＸＺ平面（平面Ｓ）内で矢印ｒ方向に回転可能とされていると共に、図２に示すＹＺ平面（垂直平面）内で矢印ｒ’方向に回転可能とされている。
【００４１】
筐体６の上面には図１に示すように互いに直交するＸ方向とＹ方向とに延びるチルトセンサ１６、１７が設けられている。このチルトセンサ（整準用センサ）１６、１７の出力は制御回路１８に入力されている。制御回路１８は、必要に応じて、このチルトセンサ（整準用センサ）１６、１７の出力に基づき、各駆動モータ３Ｄ、５Ｄに制御信号を出力する。支持軸３、５はその制御信号に基づき回動角度が調整される。その結果、第２のライン状センサＬｈは、そのチルトセンサ１６、１７の出力に基づき水平面に対して平行にセットされる。この水平面が基準面とされる。
【００４２】
次に、このライン状レーザ光束照射装置の使用方法を図２、図５を参照しつつ以下に説明する。
【００４３】
まず、１／４λ位相差板１４を平行レーザ光束Ｐ２の光路に挿入する。直線偏光の平行レーザ光束Ｐ２は、この１／４λ位相差板１４により円偏光の平行レーザ光束Ｐ２に変換される。円偏光の平行レーザ光束Ｐ２は図２に示すように第1の反射面１１ａに導かれかつこの第1の反射面１１ａにより反射されて、その約半分の光量の平行レーザ光束Ｐ２が第1のレンズ９に導かれる。その残りの約半分の光量の平行レーザ光束Ｐ２は反射面１１ｂに導かれかつこの第２の反射面１１ｂにより反射されて、その約半分の光量の平行レーザ光束Ｐ２が第２のレンズ１０に導かれる。
【００４４】
第1のレンズ９は、第1の反射面１１ａにより反射された平行レーザ光束Ｐ２に基づき第1のライン状レーザ光束Ｌｖを形成する。第２のレンズ１０は、第２の反射面１１ｂにより反射された平行レーザ光束Ｐ２に基づき第２のライン状レーザ光束Ｌｈを形成する。
【００４５】
この第1のライン状レーザ光束Ｌｖと第２のライン状レーザ光束Ｌｈとを図５に示す工事作業対象としての壁部１９の壁面１９ａに投影する。すると、この壁面１９ａには、第1のライン状レーザ光束Ｌｖと第２のライン状レーザ光束Ｌｈとからなる十字形状のライン状レーザ光束が形成される。
【００４６】
その壁部１９に、例えば、複数の窓２０、２１、２２を段差を与えて形成する場合、図５に示すように、形成済みの窓２０の隅部２０ａに交点Ｑを合致させ、例えば、リモートコントロール装置（図示を略す）を用いて遠隔操作により制御回路１８を制御することにより、第２のライン状レーザ光束Ｌｈが形成済みの窓２１の隅部２１ａに合致するように交点Ｑを中心にして十字形状のライン状レーザ光束を矢印ｒ方向に回転させる。これにより、次に形成すべき窓２２の隅部２２ａの位置が形成済みの窓２１の辺部２１ｂと第２のライン状レーザ光束Ｌｈとの交点Ｑ’として求められる。従って、次に形成すべき窓２２の隅部２２ａの位置が簡単な作業で迅速に決定できる。
【００４７】
壁部１９に照射された十字形状の交点Ｑを隅部２０に位置合わせする際、この種のリモートコントロール装置を用いて遠隔操作する構成とすれば作業員が壁部１９に近い側に立って交点Ｑを一目瞭然に認識しつつ工事作業を行うことができることになるので好ましい。
【００４８】
また、光束切替手段により、一方向のライン状レーザ光束のみが壁部１９に形成される構成とすると、ライン状レーザ光束の明るさを二方向のライン状レーザ光束を壁部に形成する場合の明るさに較べて明るく形成できる。
【００４９】
図６は反射光学系１１の他の構成を示し、ここでは、反射光学系１１は菱形プリズムから構成されている。この菱形プリズムは反射面１１ａ、反射面１１ｂと、二つの平行な透過面１１ｃ、１１ｄを有する。
【００５０】
図２に示すように、筐体６内に別々に反射光学系１１の反射部材を設ける構成とした場合、環境温度等が変化すると、二つの反射部材の相対角度が筐体６の膨張・収縮等の歪み変形により変化し、その結果、二つの反射部材の反射角度にずれが生じ、互いに直交すべき第1のライン状レーザ光束Ｌｖと第２のライン状レーザ光束Ｌｈとに角度ずれが生じる。
【００５１】
これに対して、反射光学系１１の反射部材として、菱形プリズムを用いると、反射面１１ａと反射面１１ｂとは、環境温度等が変化しても、その相対的関係は変化しないため、二つの反射面１１ａ、１１ｂの相対角度にずれが生じるのを防止できる。従って、環境温度の変化に対して反射面の配置角度誤差の発生を回避でき、また、入射角と出射角との関係が姿勢によらず一定に保持されるので、第1のライン状レーザ光束Ｌｖと第２のライン状レーザ光束Ｌｈとの直交度を維持することができる。
【００５２】
以上、発明の実施の形態では、平行レーザ光束Ｐ２を第1の反射面１１ａと第２の反射面１１ｂとに導いて第1のライン状レーザ光束Ｌｖと第２のライン状レーザ光束Ｌｈとを同時に形成してこれらの光束の協働により十字状のライン状レーザ光束を同一平面内に形成する光束状態と、第1の反射面１１ａに導いて第1のライン状光束Ｌｖのみを形成する光束状態と、第２の反射面１１ｂに導いて第２のライン状レーザ光束Ｌｈのみを形成する光束状態との三つの光束状態を形成する構成としたが、平行レーザ光束Ｐ２を第1の反射面１１ａと第２の反射面１１ｂとに導いて第1のライン状レーザ光束Ｌｖと第２のライン状レーザ光束Ｌｈとを同時に形成してこれらの協働により十字状のライン状レーザ光束からなる光束状態のみを同一平面内に形成する構成としても良い。
【００５３】
また、この発明の実施の形態では、支持軸５の軸心の延びる方向の延長線５Ｅが第２の反射面１１ｂの反射光軸１１ｅと合致するようにして筐体６を支持軸５に固定する構成としたが、図７に示すように、支持軸５の軸心の延びる方向の延長線５Ｅが第２の反射面１１ｂの反射光軸１１ｅと直交するようにして筐体６を支軸５に固定する構成としても良い。
【図面の簡単な説明】
【００５４】
【図１】本発明に係わるライン状レーザ光束照射装置の概要を示す斜視図である。
【図２】図１に示す筐体内の内部に設けられた光学要素の配置状態を示す図であって、十字状のライン状レーザ光束からなる光束状態を示す斜視図である。
【図３】図１に示す筐体内の内部に設けられた光学要素の配置状態を示す図であって、第２のライン状レーザ光束からなる光束状態を示す斜視図である。
【図４】図１に示す筐体内の内部に設けられた光学要素の配置状態を示す図であって、第1のライン状レーザ光束からなる光束状態を示す斜視図である。
【図５】本発明に係わるライン状レーザ光束照射装置の使用方法の一例を示す説明図である。
【図６】図２に示す反射光学系の他の構成を示す光学図である。
【図７】本発明に係わるライン状レーザ光束照射装置の他の構成を示す斜視図である。
【符号の説明】
【００５５】
７…光源
８…変換レンズ
９、１０…レンズ
１１…反射光学系
１１ａ、１１ｂ…反射面
Ｐ２…平行レーザ光束
Ｌｈ、Ｌｖ…ライン状レーザ光束
Ｓ…同一平面
【図１】
2010078383.tif 000003
【図２】
2010078383.tif 000004
【図３】
2010078383.tif 000005
【図４】
2010078383.tif 000006
【図５】
2010078383.tif 000007
【図６】
2010078383.tif 000008
【図７】
2010078383.tif 000009